(57)【要約】【課題】ネットワーク接続型の分析装置制御システムにおいて、分析装置制御サーバに不具合が生じると、バッチファイルやメソッドファイルといった分析条件情報が失われることがあり、復旧に手間が掛かっていた。【解決手段】分析装置制御サーバに分析条件情報を前記データ管理サーバに一定のタイミングで及び／又は前記分析条件情報が更新されたタイミングで送信する分析条件情報送信部を設け、データ管理サーバに前記分析装置制御サーバより送信された分析条件情報を保存するための分析条件情報保存部を設ける構成とする。これによって、分析装置制御サーバに不具合が生じ、分析条件情報が失われてしまったとしても、復旧を迅速に行うことが可能となる。【選択図】図１
2008158934.tif 000002
【特許請求の範囲】
【請求項１】
分析装置と、前記分析装置の設定に関するデータである分析条件情報を有し、分析装置を制御したりデータ収集を行ったりする分析装置制御サーバと、データを保存するためのデータ管理サーバと、がネットワークを介して接続されて成るネットワーク接続型分析装置制御システムにおいて、
前記分析装置制御サーバが、
分析装置の設定に関するデータである分析条件情報を前記データ管理サーバに一定のタイミングで及び／又は前記分析条件情報が更新されたタイミングで送信する分析条件情報送信部を備え、
前記データ管理サーバが、
前記分析装置制御サーバより送信された分析条件情報を保存するための分析条件情報保存部を備える
ことを特徴とする分析装置制御システム。
【請求項２】
前記データ管理サーバが、更に、
前記分析条件情報保存部に保存されている分析条件情報を、ユーザによって指定された分析装置制御サーバに対して、又は障害が発生した後、該障害の復旧が検知された分析装置制御サーバに対して送信する分析条件情報復旧部を備える
ことを特徴とする請求項１に記載の分析装置制御システム。
【発明の詳細な説明】
【技術分野】
【０００１】
本発明は、ネットワーク接続型分析装置制御システムに関する。より詳細には、本発明はそのようなシステムにおいて、分析装置制御サーバに障害が発生した際に復旧を支援するための技術に関する。
【背景技術】
【０００２】
クロマトグラフ装置、分光光度計、質量分析装置といった分析装置は通常、その分析装置を制御したりデータ収集を行ったりするための分析装置制御サーバと接続される。
従来、分析装置と分析装置制御サーバとは非ネットワークインターフェース等によって一対一に接続される接続形態が一般的であったが、これには、分析装置毎に分析装置制御サーバを用意しなければならないためにコストがかかるという問題や、分析装置毎に物理的に配置されている位置が異なる分析装置制御サーバに足を運んで操作・制御しなければならないという不便さが伴っていた。
【０００３】
そこで近年では、分析装置及び分析装置制御サーバなどにネットワーク通信モジュールを組み込むことにより、ネットワークを通じて遠隔端末から分析装置の監視や制御を行うシステムが普及しつつある。
【０００４】
このようなネットワーク接続型分析装置制御システム（以下、適宜「システム」と略称する。）では、分析装置、分析装置制御サーバの他、分析装置に対する分析指示及び分析結果表示を行うための端末コンピュータ、システム全体の制御を行うためのシステム制御サーバ、分析や測定の結果出力される分析データを保存するためのデータベースサーバなどが互いに接続され、各種のデータがネットワークを介してやり取りされる。
従って、システムの一箇所に不具合が発生しただけで、他の複数の分析やデータ処理に影響が生じてしまうため、システム全体として不具合が生じないように構成しておくだけでなく、障害が発生してしまった際には、可能な限り迅速に障害復旧できるようなシステムを構築しておくことが重要である。
【０００５】
上記のようなシステムに関する従来技術の例に、特許文献１に記載された機器分析用データ管理システムがある。この機器分析用データ管理システムでは、データベースやネットワークに不具合が生じてしまい、測定・分析データをデータベースに格納することができないという障害が発生した場合に、測定・分析データを「一時データベース」に格納する。障害が解消した後には、一時データベースから測定・分析データが読み出され、格納先情報に基づいて予め指定された本来のデータベースに格納される。
【０００６】
この特許文献１の構成により、格納障害が発生したために一時データベースに格納されていた測定・分析データを、格納障害が解消した後に本来格納されるべき格納先データベースに格納する作業をユーザが手動で行う必要が無くなり、データ格納に関する障害の復旧に掛かる負担が軽減される。
【０００７】
【特許文献１】特開2006-313447号公報
【発明の開示】
【発明が解決しようとする課題】
【０００８】
ネットワーク接続型分析装置制御システムにおいて、分析装置制御サーバでは分析や測定に必要なバッチファイルやメソッドファイルをはじめとする各種の分析用内部情報が記憶されて管理されている。（本明細書では、このような分析用内部情報をまとめて「分析条件情報」と称する。詳細は後述。）
万一、分析装置制御サーバに不具合が生じ、分析条件情報が保存されているハードディスク等の記憶装置からデータを取り出すことが出来なくなってしまった場合には、その重要な分析条件情報が失われてしまう。
【０００９】
また、分析条件情報を予めシステム上の他の箇所などにバックアップしていたとしても、以前の状態に復旧させるためには、データの検索を行ったり、メソッドファイルを分析装置の条件に合わせて編集したりといったユーザによる手作業がどうしても必要となり、障害復旧に時間と労力が掛かってしまう。
【課題を解決するための手段】
【００１０】
上記課題を解決するために成された本発明に係る分析装置制御システムは、
分析装置と、前記分析装置の設定に関するデータである分析条件情報を有し、分析装置を制御したりデータ収集を行ったりする分析装置制御サーバと、データを保存するためのデータ管理サーバと、がネットワークを介して接続されて成るネットワーク接続型分析装置制御システムにおいて、
前記分析装置制御サーバが、
前記分析条件情報を前記データ管理サーバに一定のタイミングで及び／又は前記分析条件情報が更新されたタイミングで送信する分析条件情報送信部を備え、
前記データ管理サーバが、前記分析装置制御サーバより送信された分析条件情報を保存するための分析条件情報保存部を備える
ことを特徴とする。
【００１１】
また、上記分析装置制御システムは、好適には、
前記データ管理サーバが、更に、前記分析条件情報保存部に保存されている分析条件情報を、ユーザによって指定された分析装置制御サーバに対して、又は障害が発生した後、該障害の復旧が検知された分析装置制御サーバに対して送信する分析条件情報復旧部を備える構成とすると良い。
【発明の効果】
【００１２】
本発明に係る分析装置制御システムでは、分析装置制御サーバが有する分析条件情報が所定のタイミングでデータ管理サーバに送信され、その分析条件情報はデータ管理サーバに設けられた分析条件情報保存部に保存される。従って、万一分析装置制御サーバに不具合が生じ、その記憶部から分析条件情報を取り出すことができなくなった場合でも、新しい分析装置制御サーバを接続した後、又は不具合の生じた記憶部を新たな記憶部に取り替えた後に、分析条件情報保存部に保存されている分析条件情報を取り出してコピーすることにより、障害復旧を迅速に行うことができる。
【００１３】
データ管理サーバが更に分析条件情報復旧部を備える構成では、ユーザによって指定された、又は予め定められた分析装置制御サーバに対して分析条件情報が送信されるから、障害復旧作業をより迅速に行うことが可能となる。
【発明を実施するための最良の形態】
【００１４】
図１は、本発明に係る分析装置制御システムの一実施形態の概略構成を示す図である。本実施形態の分析装置制御システム１（以下、適宜「本システム」と略称する）は、ＬＡＮ等のネットワークＮＷに分析装置制御サーバＡＳ−１及びＡＳ−２が接続されている。分析装置制御サーバＡＳ−１には分析装置Ａ−１及び分析装置Ａ−２が接続されており、分析装置制御サーバＡＳ−２には分析装置Ａ−３及び分析装置Ａ−４が接続されている。
また、ネットワークＮＷには分析の結果出力される分析データを管理し、また保存するためのデータ管理サーバＤＳが接続されている。
更にネットワークＮＷには、図示しないが、分析装置に対する分析指示を与えたり、分析結果の表示を行ったりするための端末コンピュータ（パソコン）のほか、システム全体の制御を行うためのシステム制御サーバ等が接続される。
【００１５】
本発明において、分析装置制御サーバＡＳ−１、ＡＳ−２、…は少なくともＣＰＵ、メモリ、ハードディスクやフラッシュメモリなどから成る記憶部１１、２１を含むコンピュータであり、記憶部１１、２１には予め本システムの分析装置制御サーバ用のプログラムがインストールされている。また、分析装置制御サーバＡＳ−１、ＡＳ−２、…は、分析条件情報送信部１２、２２、…を備えているが、これはＣＰＵが分析装置制御サーバ用のプログラムを実行することによりソフトウェア的に実現される構成である。
【００１６】
分析装置制御サーバＡＳ−１、ＡＳ−２、…の記憶部１１、２１、…には更に分析条件情報Ｆ１、Ｆ２、…が保存されている。分析条件情報とは分析装置の設定に関する種々のデータであり、例えば以下のものが含まれる。
・バッチ分析の内容を指示するためのバッチファイル
・各分析の条件（分析装置の設定条件、取得されたデータの演算方法等）を指示するためのメソッドファイル
・分析の進行状況を示す進行状況ファイル
・接続されている分析装置の状況等を示す環境設定ファイル
・バッチ分析等の判定に用いられる、各分析の可否を記録するための結果ファイル
【００１７】
分析装置制御サーバに保存されているこれらの分析条件情報Ｆ１、Ｆ２、…はユーザによって端末コンピュータ等から与えられる各種命令により書き換えられたり、分析装置によって自動的に書き換えられたりすることにより、その一部（若しくは全体）が更新される。
なお、本発明における分析条件情報はここに挙げたものに限定されることはもちろんない。さらに、データがファイル形式となっている必要もない。
【００１８】
データ管理サーバＤＳもまた、ＣＰＵ、メモリ、ハードディスクやフラッシュメモリなどから成る記憶部３１を含んで構成されるコンピュータであり、記憶部３１には予め本システムのデータ管理サーバ用のプログラムがインストールされている。更に、記憶部３１には分析装置制御サーバより送信されてくる条件条件情報を保存するための分析条件情報保存部３２が設けられている。また、データ管理サーバＤＳが有する分析条件情報復旧部３３は、データ管理サーバＤＳのＣＰＵがデータ管理サーバ用のプログラムを実行することによりソフトウェア的に実現される構成である。
【００１９】
なお、分析装置制御サーバＡＳ−１、ＡＳ−２、…の記憶部にインストールされている分析装置制御サーバ用のプログラムや、データ管理サーバＤＳの記憶部にインストールされているデータ管理サーバ用のプログラムは、単体のプログラムであっても良いし、ネットワーク型分析装置制御システムにおいて、システム全体を管理するために前もってインストールされているプログラムの一部として組み込まれたプログラムであっても良く、その形態は問わないものとする。
【００２０】
本発明において分析装置は、各種のネットワーク接続型の分析装置や計測・測定装置とすることができ、その種類は何ら限定されない。また、本発明において、ネットワークＮＷによって接続される装置、機器、サーバ、パソコンなどの各種機器の種類や台数は、本実施形態において示すものには何ら限定されない。
【００２１】
以下、分析装置制御サーバＡＳ−１及びＡＳ−２のＣＰＵが分析装置制御サーバ用プログラムを実行し、データ管理サーバＤＳのＣＰＵがデータ管理サーバ用プログラムを実行することにより実現される、本発明に係る分析装置制御システムの処理について、正常時の動作と復旧時の動作とに分けて説明する。
【００２２】
[正常時の動作]
分析装置制御サーバが不具合なく正常に動作している時には、分析装置制御サーバＡＳ−１及びＡＳ−２の分析条件情報送信部１２、２２は、記憶部１１、２１に含まれている分析条件情報Ｆ１、Ｆ２を、データ管理サーバＤＳの記憶部３１内の分析条件情報保存部３２に対して送信し、データ管理サーバＤＳは送信されてきた分析条件情報Ｆ１、Ｆ２を分析条件情報保存部に３２に記憶してゆく。通常は最新の分析条件情報Ｆ１又はＦ２が記憶されるように、上書保存するが、過去に送信されてきた分析条件情報Ｆ１、Ｆ２を保存しておいても良い。
また、分析条件情報送信部１２、２２が分析条件情報Ｆ１、Ｆ２を送信するタイミングは、予め設定しておいた一定のタイミング（例：１〜２分毎）としてもよいし、分析装置制御サーバＡＳ−１、ＡＳ−２において分析条件情報Ｆ１、Ｆ２が更新されたタイミングとしても良い。両者を組み合わせても構わない。
これにより、データ管理サーバＤＳの分析条件情報保存部３２には、本発明のシステム１に係る全ての分析条件情報Ｆ１、Ｆ２、…が集中的に保存される。
【００２３】
[復旧時の動作]
図２を参照しつつ、分析装置制御サーバＡＳ−２に不具合があった場合の処理例を考える。ここでは不具合が生じた結果として、分析装置制御サーバＡＳ−２に替えて分析装置制御サーバＡＳ−３が設置されたものとする。
【００２４】
ここでユーザは、端末コンピュータを操作することにより、本発明に係るシステム１の分析条件情報復旧設定画面を呼び出す。このような分析条件情報復旧設定画面の例を図３に示す。図３に示す分析条件情報復旧設定画面では、データ管理サーバの一覧（上欄）と、各データ管理サーバに接続されている分析装置の一覧（下欄）とを確認することができる。
【００２５】
次にユーザは分析条件情報復旧設定画面における分析装置制御サーバの一覧において、不具合が生じた分析装置制御サーバＡＳ−２（図３の例では「Ｎｏ２」がこの分析装置制御サーバ対応する。）を選択し、復旧ボタン３０を押下する。この入力を受けた分析条件情報復旧部３３は、分析条件情報保存部３２に保存されている分析装置制御サーバＡＳ−２の分析条件情報Ｆ２を、新たに分析装置制御サーバＡＳ−２の代わりに接続された分析装置制御サーバＡＳ−３に対して送信する。
これにより、新たに取り付けられた分析装置制御サーバＡＳ−３において、分析装置Ａ−３及び分析装置Ａ−４に関する分析条件情報を分析装置制御サーバＡＳ−２に不具合が生じる直前の状態に素早く設定することが出来る。
【００２６】
なお、上述した例では、ユーザが分析条件情報復旧設定画面において、復旧を行おうとする（不具合が生じた）分析装置制御サーバを指定したが、分析条件情報復旧部３３が障害復旧を検知（例えば分析装置制御サーバが取り替えられたことを検知する）すると、自動的に新たな分析装置制御サーバに対して分析条件情報を送信するように構成しておいても良い。
【００２７】
以上、本発明に係る分析装置制御システムについて説明を行ったが、上記は例に過ぎないことは明らかであって、本発明の精神内で適宜に改良や変更を行っても構わない。
【図面の簡単な説明】
【００２８】
【図１】本発明に係る分析装置制御システムの一実施形態の概略構成図。
【図２】分析条件情報復旧処理の概念図。
【図３】分析条件情報復旧設定画面の例。
【符号の説明】
【００２９】
１…分析装置制御システム
１２…分析条件情報送信部
３２…分析条件情報保存部
３３…分析条件情報復旧部
Ａ−１〜Ａ−４…分析装置
ＡＳ−１〜ＡＳ−３…分析装置制御サーバ
ＤＳ…データ管理サーバ
【図１】
2008158934.tif 000003
【図２】
2008158934.tif 000004
【図３】
2008158934.tif 000005